(57)【要約】  遠赤外線レンズは、遠赤外線帯で使用されるレンズ系であって、物体側から順に、第１レンズと第２レンズの２枚の単レンズで構成され、条件式：７．３＜（ｒ１＋ｒ２）／（ｒ１−ｒ２）＜２７．５（ｒ１：第１レンズの物体側面の近軸曲率半径、ｒ２：第１レンズの像側面の近軸曲率半径）を満足し、半画角が３０°よりも大きい。
2016027784.tif 000002
【特許請求の範囲】
【請求項１】
遠赤外線帯で使用されるレンズ系であって、
物体側から順に、第１レンズ及び第２レンズの２枚の単レンズで構成され、以下の条件式（２）を満足し、半画角が３０°よりも大きいことを特徴とする遠赤外線レンズ；
７．３＜（ｒ１＋ｒ２）／（ｒ１−ｒ２）＜２７．５  …（２）
ただし、
ｒ１：第１レンズの物体側面の近軸曲率半径、
ｒ２：第１レンズの像側面の近軸曲率半径、
である。
【請求項２】
以下の条件式（４）を満足することを特徴とする請求項１記載の遠赤外線レンズ；
０．６３＜ｄＬ２／ｆ＜２．５５  …（４）
ただし、
ｄＬ２：第２レンズの中心厚、
ｆ：遠赤外線レンズ全系の焦点距離、
である。
【請求項３】
以下の条件式（６）を満足することを特徴とする請求項１又は２記載の遠赤外線レンズ；
０．９＜ｆ２／ｆ＜４．５  …（６）
ただし、
ｆ２：第２レンズの焦点距離、
ｆ：遠赤外線レンズ全系の焦点距離、
である。
【請求項４】
前記第１レンズ及び第２レンズは、設計波長での屈折率が２よりも大きいことを特徴とする請求項１〜３のいずれか１項に記載の遠赤外線レンズ。
【請求項５】
請求項１〜４のいずれか１項に記載の遠赤外線レンズと、撮像面上に形成された遠赤外線光学像を電気的な信号に変換する撮像素子と、を備え、前記撮像素子の撮像面上に被写体の遠赤外線光学像が形成されるように前記遠赤外線レンズが設けられていることを特徴とする撮像光学装置。
【請求項６】
請求項５記載の撮像光学装置を備えることにより、被写体の静止画撮影，動画撮影のうちの少なくとも一方の機能が付加されたことを特徴とするデジタル機器。
【請求項７】
請求項１〜４のいずれか１項に記載の遠赤外線レンズを備えたことを特徴とする遠赤外線用カメラシステム。
【発明の詳細な説明】
【技術分野】
【０００１】
本発明は、遠赤外線レンズ，撮像光学装置及びデジタル機器に関するものである。例えば、遠赤外線（波長８〜１２μｍ帯）で使用する撮像レンズ系であって、特に半画角ωが３０°以上の広角でもレンズ枚数が２枚と少なく収差補正が良好に行われており、安価なカメラシステムに使用可能な遠赤外線レンズと、遠赤外線レンズにより得られた遠赤外線映像を撮像素子で取り込む撮像光学装置と、遠赤外線レンズを搭載した画像入力機能付きデジタル機器と、に関するものである。
【背景技術】
【０００２】
監視カメラや防犯カメラ等の普及に伴い、安価で小型の遠赤外線レンズが必要とされている。遠赤外線レンズに用いられるレンズ材料は、一般的な光学ガラスに比べて高価であるため、レンズ体積は小さい方がコストが抑えられる。そのような観点から、レンズ２枚で構成された比較的広角な遠赤外線レンズが、特許文献１〜４で提案されている。
【先行技術文献】
【特許文献】
【０００３】
【特許文献１】ＵＳ２０１３／０２７１８５２  Ａ１
【特許文献２】特開２０１３−１９５７９５号公報
【特許文献３】ＵＳ２０１２／０２２９８９２  Ａ１
【特許文献４】ＵＳ６２９２２９３  Ｂ１
【発明の概要】
【発明が解決しようとする課題】
【０００４】
上記特許文献１〜４に記載されている遠赤外線レンズでは、焦点距離で規格化した第２レンズの芯厚が薄くなっている。大型の遠赤外線センサーに対応するためにレンズ径が大型化すると材料コストが高くなるのでそれを補ったり、単に均質なレンズ材料の大きさの制限を受けたりすることから、レンズ芯厚を薄くした設計にしていると考えられる。しかしながら、最近では遠赤外線センサーも小型のものが安価に製造されるようになってきている。加えて、安価ではあってもセンサーの画素数が多いものが増えてきている。このようなセンサーに対してはより高性能で高精細なレンズ系が求められているが、第２レンズの芯厚が薄い場合、レンズの前面と後面とで異なる収差補正を行いにくいため、少ないレンズ枚数の系では十分な収差補正を行うことができない。【０００５】
上記特許文献１〜３では、焦点距離で規格化したバックフォーカスが長くなっている。また、遠赤外線レンズでは系の明るさが解像力にも影響するため、Ｆナンバーが１．２程度と明るくなっており、軸外光束もなるべく切らない構成になっている。このようなレンズ系では、バックフォーカスが長く像面から第２レンズまでの距離が長い場合、第２レンズの光軸から高い位置をＦナンバー光線が通るため、第２レンズでの球面収差補正の負担が大きくなってしまう。また、軸上光束と軸外光束がほとんど同じ高さを通過するため、軸外性能の効果的な補正（像面湾曲等の補正）も行いにくい。このため、少ないレンズ枚数の系では十分な性能が得られなくなっている。【０００６】
上記特許文献４では、焦点距離で規格化したバックフォーカスが短くなっている。これは、数値例の表記がインチ単位でセンサーの画面サイズが大きいものに対するレンズ系であるためと考えられる。これを安価で小型のセンサーに対応するように比例縮小して応用した場合、センサーのカバーガラスをバックフォーカスに挿入することができなくなる。センサーのカバーガラスは、小型で安価であっても性能を確保するためには必須なので、このようにバックフォーカスの短すぎるレンズ系は使用することができない。【０００７】
上記特許文献１，４では、第１レンズとしてメニスカス度の比較的弱いレンズが物体側に凹面を向けて配置されている。メニスカス度はレンズの前面と後面の近軸曲率半径によって決まるものであり、前面の曲率半径をｒ１、後面の曲率半径をｒ２とすると、（ｒ１＋ｒ２）／（ｒ１−ｒ２）で表される。曲率半径を符号も含めた値で考えると、正レンズの場合はこの値が大きいほど前後の面の曲率半径が近くメニスカス度合いが大きいことを示す。特許文献１に記載のものでは、正レンズでメニスカス度が弱くパワーが強めであり（パワー：焦点距離の逆数で定義される量）、第１レンズでも正のパワーによる球面収差や像面湾曲を発生させる。第２レンズでの正のパワーによる収差は少し小さくなるが、第１レンズで積極的に収差補正を行わないので、少ないレンズ枚数では収差を十分小さくできず、特に広角なレンズ系では性能が低下しやすくなっている。【０００８】
上記の特許文献２，３では、第１レンズが負レンズになっており、このときメニスカス度が弱いと負のパワーが強めになっている。第１レンズの負のパワーによって収差を発生させ、正の第２レンズによる収差を打ち消す効果もあるが、負のパワーが強すぎるため、第２レンズで光線が光軸から高い位置を通り更に大きな収差を発生させてしまい、広角なレンズ系ではかえって性能を悪化させてしまうことになる。【０００９】
上記特許文献１，４では、全系の焦点距離で規格化した第１レンズの焦点距離が正の小さい値を取り、第１レンズの正のパワーが比較的強くなっている。メニスカス度が弱い場合と同様で、第１レンズでも正のパワーによる球面収差や像面湾曲を発生させ、あまり収差補正されないので、少ないレンズ枚数の構成では良い性能が得られない。【００１０】
上記特許文献２，３では、全系の焦点距離で規格化した第１レンズの焦点距離が負の小さい値を取り、負のパワーが強くなっている。メニスカス度が弱い場合と同様で、負のパワーが強すぎると第２レンズで集光させるパワーもより強くなり、かえって性能を悪化させている。【００１１】
上記特許文献１，３，４では、全系の焦点距離で規格化したレンズ全長が小さくなっている。２枚という少ないレンズ枚数で構成する場合、レンズ全長が小さいと各面が近接して配置されるため、各面で異なった収差補正がしにくくなって十分な性能が得られなくなっている。【００１２】
上記特許文献２では、全系の焦点距離で規格化したレンズ全長が大きくなっている。このようなレンズ系では、軸外光束が第１面の高い位置を通り有効径が大きくなってしまう。各面を離して配置でき、異なる収差補正が可能となるが、軸外光束のコマ収差が大きくなってしまって十分な性能を得られていない。【００１３】
本発明はこのような状況に鑑みてなされたものであって、その目的は、２枚という少ないレンズ枚数でも軸上光束及び軸外光束に対して良好に収差補正された高性能で安価な遠赤外線レンズ、それを備えた撮像光学装置及びデジタル機器を提供することにある。
【課題を解決するための手段】
【００１４】
上記目的を達成するために、第１の発明の遠赤外線レンズは、遠赤外線帯で使用されるレンズ系であって、
物体側から順に、第１レンズ及び第２レンズの２枚の単レンズで構成され、以下の条件式（２）を満足し、半画角が３０°よりも大きいことを特徴とする。
７．３＜（ｒ１＋ｒ２）／（ｒ１−ｒ２）＜２７．５  …（２）
ただし、
ｒ１：第１レンズの物体側面の近軸曲率半径、
ｒ２：第１レンズの像側面の近軸曲率半径、
である。【００１５】
第２の発明の遠赤外線レンズは、上記第１の発明において、以下の条件式（４）を満足することを特徴とする。
０．６３＜ｄＬ２／ｆ＜２．５５  …（４）
ただし、
ｄＬ２：第２レンズの中心厚、
ｆ：遠赤外線レンズ全系の焦点距離、
である。【００１６】
第３の発明の遠赤外線レンズは、上記第１又は第２の発明において、以下の条件式（６）を満足することを特徴とする。
０．９＜ｆ２／ｆ＜４．５  …（６）
ただし、
ｆ２：第２レンズの焦点距離、
ｆ：遠赤外線レンズ全系の焦点距離、
である。【００１７】
第４の発明の遠赤外線レンズは、上記第１〜第３のいずれか１つの発明において、前記第１レンズ及び第２レンズは、設計波長での屈折率が２よりも大きいことを特徴とする。【００１８】
第５の発明の撮像光学装置は、上記第１〜第４のいずれか１つの発明に係る遠赤外線レンズと、撮像面上に形成された遠赤外線光学像を電気的な信号に変換する撮像素子と、を備え、前記撮像素子の撮像面上に被写体の遠赤外線光学像が形成されるように前記遠赤外線レンズが設けられていることを特徴とする。【００１９】
第６の発明のデジタル機器は、上記第５の発明に係る撮像光学装置を備えることにより、被写体の静止画撮影，動画撮影のうちの少なくとも一方の機能が付加されたことを特徴とする。【００２０】
第７の発明の遠赤外線用カメラシステムは、上記第１〜第４のいずれか１つの発明に係る遠赤外線レンズを備えたことを特徴とする。
【発明の効果】
【００２１】
本発明では、上述のような構成をとることにより、２枚という少ないレンズ枚数でも軸上光束及び軸外光束に対して積極的な収差補正を行うことができるようになるため、良好な収差補正により高性能化・高精細化が可能となり、新たに製造されてきている安価な遠赤外線センサーにも対応可能となる。したがって、安価でも高性能な遠赤外線レンズと、それを備えた撮像光学装置を実現することができる。そして、本発明に係る遠赤外線レンズ又は撮像光学装置を、暗視装置，サーモグラフィー，携帯端末，カメラシステム（例えば、デジタルカメラ，監視カメラ，防犯カメラ，車載カメラ）等のデジタル機器に用いることによって、デジタル機器に対し高性能の遠赤外線画像入力機能を安価でコンパクトに付加することが可能となる。
【図面の簡単な説明】
【００２２】
【図１】第１の実施の形態（実施例１）のレンズ断面図。
【図２】実施例１の収差図。
【図３】第２の実施の形態（実施例２）のレンズ断面図。
【図４】実施例２の収差図。
【図５】第３の実施の形態（実施例３）のレンズ断面図。
【図６】実施例３の収差図。
【図７】第４の実施の形態（実施例４）のレンズ断面図。
【図８】実施例４の収差図。
【図９】第５の実施の形態（実施例５）のレンズ断面図。
【図１０】実施例５の収差図。
【図１１】第６の実施の形態（実施例６）のレンズ断面図。
【図１２】実施例６の収差図。
【図１３】第７の実施の形態（実施例７）のレンズ断面図。
【図１４】実施例７の収差図。
【図１５】第８の実施の形態（実施例８）のレンズ断面図。
【図１６】実施例８の収差図。
【図１７】第９の実施の形態（実施例９）のレンズ断面図。
【図１８】実施例９の収差図。
【図１９】第１０の実施の形態（実施例１０）のレンズ断面図。
【図２０】実施例１０の収差図。
【図２１】第１１の実施の形態（実施例１１）のレンズ断面図。
【図２２】実施例１１の収差図。
【図２３】第１２の実施の形態（実施例１２）のレンズ断面図。
【図２４】実施例１２の収差図。
【図２５】第１３の実施の形態（実施例１３）のレンズ断面図。
【図２６】実施例１３の収差図。
【図２７】遠赤外線レンズを搭載したデジタル機器の概略構成例を示す模式図。
【発明を実施するための形態】
【００２３】
以下、本発明の実施の形態に係る遠赤外線レンズ，撮像光学装置，デジタル機器等を説明する。本発明の実施の形態に係る遠赤外線レンズは、遠赤外線帯で使用されるレンズ系であって、物体側から順に、第１レンズ及び第２レンズの２枚の単レンズで構成され、以下の条件式（２）を満足し、半画角が３０°よりも大きいことを特徴としている。
７．３＜（ｒ１＋ｒ２）／（ｒ１−ｒ２）＜２７．５  …（２）
ただし、
ｒ１：第１レンズの物体側面の近軸曲率半径、
ｒ２：第１レンズの像側面の近軸曲率半径、
である。
【００２４】
遠赤外線は、主として波長７〜１４μｍの範囲の赤外線である。人や動物の体温は波長８〜１２μｍの放射光であり、遠赤外線光学系はほとんどが波長８〜１２μｍで使用される。波長８〜１２μｍ帯の遠赤外線領域は物質の温度を検知できる範囲であり、温度測定，暗闇での人検知，セキュリティ等、応用できるものは多い。それにもかかわらず、現在のところ遠赤外線カメラが広く普及していないのは、遠赤外線を透過するレンズ材料が高価な希少金属を含む材料であったり加工が難しい材料であったりして、それらを数枚以上使用したレンズ系にするとコスト高になってしまうからである。最近では遠赤外線センサーの製造技術が進み、安価なサーモパイルや非冷却式マイクロボロメータ等も製造されるようになり、これらと適合するような安価なレンズ系が望まれている。本発明の実施の形態に係る遠赤外線レンズでは、物体側から順に第１レンズ及び第２レンズの２枚の単レンズで構成して、少ない枚数のレンズ系とすることにより、レンズ系の加工コストを低減して安価なレンズ系を提供することを可能としている。
【００２５】
また、従来の遠赤外線センサーは、温度分解能を精密に表示することのできる高価なものがほとんどである。このようなセンサーでは、温度分解能を十分に発揮させるため、センサー回りを液体窒素等の冷媒で冷却する必要がある。したがって、冷却するための空間が必要となるため、レンズバックが比較的短くなりやすい広角なレンズ系はほとんど製造されてこなかった。しかしながら、もっと広い視野を見たいというニーズがあり、しかも近年では冷却を必要としないマイクロボロメータ等の非冷却センサーが安価に作製できるようになってきている。このため、半画角ωが３０°より大きい広角な遠赤外線レンズであっても実現は可能である。本発明の実施の形態に係る遠赤外線レンズでは、２枚の単レンズで構成された広角のレンズ構成を有するもののなかでも半画角ωが３０°よりも大きい広角系に適したレンズ構成を想定しており、このような広角化を高性能化と両立させながらレンズ２枚でも可能にするうえで望ましい条件設定等を以下に説明する。
【００２６】
前記条件式（２）は、遠赤外線レンズの第１レンズのシェイピングファクターに関する望ましい条件を規定している。以下の条件式（２ａ）を満足することが更に望ましく、条件式（２ａ）を満たすことにより、後述する効果をより一層大きくすることができる。
９．４＜（ｒ１＋ｒ２）／（ｒ１−ｒ２）＜２７．１  …（２ａ）
ただし、
ｒ１：第１レンズの物体側面の近軸曲率半径、
ｒ２：第１レンズの像側面の近軸曲率半径、
である。
【００２７】
シェイピングファクターは、１枚のレンズの形状を示すものである。符号も含めてレンズの前面（物体側面）の近軸曲率半径をｒ１、後面（像側面）の近軸曲率半径をｒ２とすると、（ｒ１＋ｒ２）／（ｒ１−ｒ２）で表される。両面の近軸曲率半径の値が符号も含めて近い場合、メニスカス度の強いレンズとなり、シェイピングファクターの絶対値は大きくなる。符号のプラスマイナスはレンズ面の向きで異なる。両面の近軸曲率半径が符号も含めて離れている場合、メニスカス度の弱いレンズとなり、シェイピングファクターの絶対値は小さくなる。符号のプラスマイナスは上記と同様にレンズ面の向きで異なる。
【００２８】
本発明の実施の形態に係る遠赤外線レンズでは、第１レンズのシェイピングファクターを所定の範囲内に設定することが好ましい。上記条件式（２），（２ａ）はその範囲を規定しており、シェイピングファクターの値が大きいこと、すなわちメニスカス度合いが大きいことを示している。メニスカス度合いが大きい場合、第１レンズは弱い正のパワーか弱い負のパワーを持つことになる。第１レンズでは球面収差や像面湾曲の補正を主に担当し、集光作用を弱くしておくことで、広角の仕様でもバックフォーカスを十分確保し収差補正も可能としている。
【００２９】
シェイピングファクターの値が条件式（２）の下限を越えて小さくなると、第１レンズはメニスカス度合いが弱くなり、やや強い正のパワーを持つことになる。集光作用をある程度持つことになるので、バックフォーカスが短くなってしまうとともに収差補正が不十分となり、第２レンズで補正しきれなくなってしまう。また、シェイピングファクターの値が条件式（２）の上限を越えて大きくなりすぎると、第１レンズの収差補正力はほとんどなくなるとともに第２レンズだけで集光を行わなければならず、第２レンズによる収差が大きく発生してしまう。
【００３０】
したがって、条件式（２）を満たし、好ましくは条件式（２ａ）を満たすようにすれば、第１レンズはメニスカス度が強い正レンズ又は負レンズとなり、第１レンズでは球面収差や像面湾曲等の補正を主に行い、第２レンズで発生する正のパワーによる収差を相殺して性能の向上を図ることが可能となる。
【００３１】
遠赤外線レンズの系全体のバックフォーカスに関して、以下の条件式（１）を満足することが望ましい。さらに、以下の条件式（１ａ）を満足することが望ましく、以下の条件式（１ｂ）を満足することが更に望ましい。したがって、好ましくは条件式（１ａ）、更に好ましくは条件式（１ｂ）を満たすことにより、後述する効果をより一層大きくすることができる。
０．３８＜ｆＢ／ｆ＜１．３５  …（１）
０．３８＜ｆＢ／ｆ＜０．９７  …（１ａ）
０．３８＜ｆＢ／ｆ＜０．８５  …（１ｂ）
ただし、
ｆＢ：第２レンズの像側面から像面までの空気換算距離、
ｆ：遠赤外線レンズ全系の焦点距離、
である。
【００３２】
本発明の実施の形態に係る遠赤外線レンズでは、全系の焦点距離で規格化したバックフォーカスを所定の範囲内に設定することが好ましい。上記条件式（１），（１ａ），（１ｂ）はその範囲を規定しており、そのバックフォーカスは一般的な遠赤外線レンズ系と比べて比較的短くなっている。バックフォーカスをより短くすることによって像面から第２レンズまでの距離が短くなるため、軸上のＦナンバー光線が第２レンズの比較的低い位置を通ることになり、球面収差の発生量を抑えることが可能となる。しかし、遠赤外線レンズでは、レンズ系の明るさが解像力を決めるため、Ｆナンバー：１．２程度の明るさが必要である。このため、条件式（１）の上限を越えると、球面収差が発生しやすくなり、枚数の少ないレンズ系を構成することが困難になる。条件式（１）の上限を越えないように球面収差の発生量を小さくすると、軸外の収差は非球面等により効率良く補正できるようになり、広角なレンズ系でも少ないレンズ枚数で構成することが可能となる。また、条件式（１）の下限を越えてバックフォーカスが短くなってしまうと、遠赤外線センサーのカバーガラスを配置するための空間やカバーガラスとセンサー受光面との間隔を確保することが困難になる。遠赤外線センサーでは性能を確保するためにこのような空間が不可欠となっているため、遠赤外線レンズでもこのような空間を確保した設計にしなければならない。
【００３３】
したがって、条件式（１）を満たし、好ましくは条件式（１ａ）又は（１ｂ）を満たすようにすれば、像面から第２レンズまでの距離が大きくなりすぎることなく、第２レンズの低い位置をＦナンバー光線が通って球面収差が抑えられると同時に、軸外光束に対しても像面湾曲補正を効果的に行うことが可能となる。また、遠赤外線センサーのカバーガラスを挿入するスペースも十分に確保することが可能となる。
【００３４】
遠赤外線レンズの全長に関して、以下の条件式（３）を満足することが望ましい。さらに、以下の条件式（３ａ）を満足することが望ましく、以下の条件式（３ｂ）を満足することが更に望ましい。したがって、好ましくは条件式（３ａ）、更に好ましくは条件式（３ｂ）を満たすことにより、後述する効果をより一層大きくすることができる。
１．７５＜ＴＬ／ｆ＜５．７  …（３）
１．７５＜ＴＬ／ｆ＜５．０  …（３ａ）
１．７５＜ＴＬ／ｆ＜３．２  …（３ｂ）
ただし、
ＴＬ：遠赤外線レンズの全長（バックフォーカスを空気換算した場合）、
ｆ：遠赤外線レンズ全系の焦点距離、
である。
【００３５】
本発明の実施の形態に係る遠赤外線レンズでは、全系の焦点距離で規格化したレンズ全長を所定の範囲内に設定することが好ましい。上記条件式（３），（３ａ），（３ｂ）はその範囲を規定している。条件式（３）の下限を越えると、２枚という少ないレンズ枚数で構成する場合、レンズ全長が小さいことにより各面が近接して配置されるため、各面で異なった収差補正が行いにくくなって十分な性能が得られなくなる。条件式（３）の上限を越えると、このようなレンズ系では軸外光束が第１面の高い位置を通るため有効径が大きくなってしまう。各面を離して配置できるため異なる収差補正が可能となるが、軸外光束のコマ収差が大きくなってしまうため十分な性能が得られなくなる。
【００３６】
したがって、条件式（３）を満たし、好ましくは条件式（３ａ）又は（３ｂ）を満たすようにすれば、各面を互いに十分に離して配置することができるため、２枚という少ないレンズ構成でも異なる収差補正を行い性能の良いレンズ系を得ることが可能となる。また、レンズ全長が大きすぎることによる前玉径の増大を防止し、第１レンズによる軸外光束のコマ収差を小さく抑えることが可能となる。
【００３７】
遠赤外線レンズの第２レンズの中心厚（芯厚）に関して、以下の条件式（４）を満足することが望ましく、以下の条件式（４ａ）を満足することが更に望ましい。したがって、好ましくは条件式（４ａ）を満たすことにより、後述する効果をより一層大きくすることができる。
０．６３＜ｄＬ２／ｆ＜２．５５  …（４）
０．６８＜ｄＬ２／ｆ＜２．５  …（４ａ）
ただし、
ｄＬ２：第２レンズの中心厚、
ｆ：遠赤外線レンズ全系の焦点距離、
である。
【００３８】
本発明の実施の形態に係る遠赤外線レンズでは、全系の焦点距離で規格化した第２レンズの芯厚を所定の範囲内に設定することが好ましい。上記条件式（４），（４ａ）はその範囲を規定しており、その第２レンズの芯厚は従来の遠赤外線レンズと比べて比較的厚くなっている。レンズを厚くすることによって、第２レンズの前面と後面とで異なる収差補正を行うことができるようになり、少ないレンズ枚数でも良好な性能を確保することができるようになる。
【００３９】
条件式（４）の下限を越えて第２レンズの芯厚が小さくなると、第２レンズの前面と後面とでほぼ同様の収差補正を行うことしかできなくなるため、少ないレンズ枚数で良好な収差補正を行うことは困難となる。また、条件式（４）の上限を越えて第２レンズの芯厚が大きくなると、レンズ材料の制約から均質な材料を得ることが難しくなったり、非球面の場合には均一な加熱成形が難しくなったりするため、設計値通りの単レンズの性能を出すことが困難となり、性能の良いレンズ系を得ることができなくなる。
【００４０】
遠赤外線レンズの第１レンズの焦点距離に関して、以下の条件式（５）を満足することが望ましい。さらに、以下の条件式（５ａ），（５ｂ）又は（５ｃ）を満足することが更に望ましい。つまり、条件式（５），（５ａ），（５ｂ），（５ｃ）の順で満足することがより好ましい。したがって、好ましくは条件式（５ａ）、更に好ましくは条件式（５ｂ）又は（５ｃ）を満たすことにより、後述する効果をより一層大きくすることができる。
１．１＜ｆ１／ｆ＜９７．５  …（５）
１．１＜ｆ１／ｆ＜８．０  …（５ａ）
１．１＜ｆ１／ｆ＜３．８  …（５ｂ）
１．３＜ｆ１／ｆ＜３．８  …（５ｃ）
ただし、
ｆ１：第１レンズの焦点距離、
ｆ：遠赤外線レンズ全系の焦点距離、
である。
【００４１】
本発明の実施の形態に係る遠赤外線レンズでは、全系の焦点距離で規格化した第１レンズの焦点距離を所定の範囲内に設定することが好ましい。上記条件式（５），（５ａ），（５ｂ），（５ｃ）はその範囲を規定しており、第１レンズは比較的弱い正のパワーを持っている。第１レンズのパワーが条件式（５）の上限を越えて強くなりすぎると、十分なバックフォーカスを確保することが難しくなり、特に広角な光学系ではセンサーのカバーガラスを挿入することさえ難しくなってしまう。また、第１レンズのパワーが条件式（５）の下限を越えて小さくなると、第２レンズでほとんどの集光作用を行わなければならず、第２レンズで大きな球面収差が発生してしまう。
【００４２】
遠赤外線レンズの第２レンズの焦点距離に関して、以下の条件式（６）を満足することが望ましい。さらに、以下の条件式（６ａ）を満足することが望ましく、以下の条件式（６ｂ）を満足することが更に望ましい。したがって、好ましくは条件式（６ａ）、更に好ましくは条件式（６ｂ）を満たすことにより、後述する効果をより一層大きくすることができる。
０．９＜ｆ２／ｆ＜４．５  …（６）
０．９＜ｆ２／ｆ＜２．９  …（６ａ）
０．９＜ｆ２／ｆ＜１．３  …（６ｂ）
ただし、
ｆ２：第２レンズの焦点距離、
ｆ：遠赤外線レンズ全系の焦点距離、
である。
【００４３】
本発明の実施の形態に係る遠赤外線レンズでは、全系の焦点距離で規格化した第２レンズの焦点距離を所定の範囲内に設定することが好ましい。上記条件式（６），（６ａ），（６ｂ）はその範囲を規定している。条件式（６）の下限を上回ると、第２レンズのパワーが強過ぎないので、このレンズで発生する像面湾曲や歪曲収差等を小さく抑えるとともに、製造時に発生する偏芯誤差やレンズ形状誤差、レンズ間隔誤差による性能劣化を小さく抑えることができる。条件式（６）の上限を下回ると、第２レンズのパワーが弱過ぎないので、光学系が大きくなり過ぎず、レンズの体積や重量を適切な範囲に収めることが可能となる。
【００４４】
本発明の実施の形態に係る遠赤外線レンズでは、前記第１レンズ及び第２レンズの設計波長での屈折率が２よりも大きいことが好ましい。第１レンズ及び第２レンズは、屈折率の高い遠赤外線用レンズ材料で構成されている。具体的には、カルコゲンを主成分としたカルコゲナイドガラス（波長１０μｍでの屈折率２．５〜２．８程度），シリコン（Ｓｉ、波長１０μｍの屈折率３程度），ゲルマニウム（Ｇｅ、波長１０μｍでの屈折率４程度）等が挙げられる。これらのレンズ材料では、屈折率が高いためレンズ面の曲率を緩くすることができ、各面の収差を小さくすることが可能である。したがって、レンズ枚数が少なくても良好な収差補正が可能となる。遠赤外線用レンズ材料でも屈折率の低いものは存在する。しかし、それらは安価であってもレンズ面の曲率を強くしなければならないので、少ない枚数でレンズ系を構成することが困難となり、結局、レンズ系のコスト高を招いてしまう。
【００４５】
屈折率は、真空に対する物質中の光の進む速度の比であり、可視領域ではｄ線（５８７ｎｍ）に対して表示される。しかし、この値は遠赤外線領域では意味を持たないので、波長１０μｍに対する屈折率を代表的に示す場合が多い。例えば、従来より用いられている遠赤外線光学材料の波長１０μｍでの屈折率は、Ｇｅ＝４．００４、Ｓｉ＝３．４１８、ＺｎＳ＝２．２００、ＺｎＳｅ＝２．４０７等である。
【００４６】
また、分散の性質を表す値として、可視光線ではｄ線のアッベ数νｄが用いられる。このアッベ数は、νｄ＝（Ｎｄ−１）／（Ｎｆ−Ｎｃ）で表される（ただし、Ｎｄ：ｄ線での屈折率、ＮｆはＦ線での屈折率、ＮｃはＣ線での屈折率、である。）。しかし、この値は遠赤外線領域では意味を持たないので、前記遠赤外線レンズでは、分散の性質を表す値として、ν＝（Ｎ１０−１）／（Ｎ８−Ｎ１２）を用いることにする（ただし、Ｎ１０：波長１０μｍでの屈折率、Ｎ８：波長８μｍでの屈折率、Ｎ１２：波長１２μｍでの屈折率、とする。）。この値が大きいほど色による屈折率の差が小さいので、分散が小さいということになる。例えば、従来より用いられている遠赤外線光学材料の分散は、Ｇｅ＝１２５０〜１２５２、Ｓｉ＝１８６０、ＺｎＳ＝２３（色消しに使う。）、ＺｎＳｅ＝５７（色消しに使う。）等である。
【００４７】
本発明の実施の形態に係る遠赤外線レンズでは、前記第１，第２レンズが有するレンズ面のうちの少なくとも１面は、回折格子面であることが好ましい。回折格子面を有することにより、軸上色収差の補正を良好に行うことが可能となる。回折格子の断面形状としては、バイナリ形状の他にステップ（階段）形状やキノフォームを用いてもよい。いずれの場合も回折波長での位相差は、後述する式（ＤＳ）で計算することができる。
【００４８】
上述したように条件設定された各構成を、単独で又は必要に応じ組み合わせて採用することにより、２枚という少ないレンズ枚数でも軸上光束及び軸外光束に対して積極的な収差補正を行うことができるようになる。このため、良好な収差補正により広角化を高性能化や高精細化と両立させながらレンズ２枚でも達成することが可能となり、新たに製造されてきている安価な遠赤外線センサーにも対応可能となる。したがって、安価でも高性能な遠赤外線レンズと、それを備えた撮像光学装置を実現することができる。
【００４９】
遠赤外線レンズ又は撮像光学装置を、暗視装置，サーモグラフィー，携帯端末，カメラシステム（例えば、デジタルカメラ，監視カメラ，防犯カメラ，車載カメラ）等のデジタル機器に用いることによって、デジタル機器に対し高性能の遠赤外線画像入力機能を安価でコンパクトに付加することが可能となり、そのコンパクト化，高性能化，高機能化等に寄与することができる。前述したように、遠赤外線カメラが普及していない原因の１つにはレンズ材料やレンズ加工が高価であることが挙げられるので、簡単な２枚構成のレンズ系を遠赤外線レンズとして用いることにより、レンズの加工コスト等が抑えられ安価なカメラシステムを実現することが可能となる。
【００５０】
本発明の実施の形態に係る遠赤外線レンズは、遠赤外線画像入力機能付きデジタル機器（例えば携帯端末，ドライブレコーダー等）用の撮像光学系としての使用に適しており、これを撮像用の遠赤外線センサー等と組み合わせることにより、被写体の遠赤外線映像を光学的に取り込んで電気的な信号として出力する遠赤外線用撮像光学装置を構成することができる。撮像光学装置は、被写体の静止画撮影や動画撮影に用いられるカメラの主たる構成要素を成す光学装置であり、例えば、物体（すなわち被写体）側から順に、物体の遠赤外線光学像を形成する遠赤外線レンズと、その遠赤外線レンズにより形成された遠赤外線光学像を電気的な信号に変換する撮像素子（遠赤外線センサー）と、を備えることにより構成される。そして、撮像素子の受光面（すなわち撮像面）上に被写体の遠赤外線光学像が形成されるように、前述した特徴的構成を有する遠赤外線レンズが配置されることにより、小型・低コストで高い性能を有する撮像光学装置やそれを備えたデジタル機器を実現することができる。
【００５１】
遠赤外線画像入力機能付きデジタル機器の例としては、赤外線カメラ，監視カメラ，防犯カメラ，車載カメラ，航空機カメラ，デジタルカメラ，ビデオカメラ，テレビ電話用カメラ等のカメラシステムが挙げられ、また、パーソナルコンピューター，暗視装置，サーモグラフィー，携帯用デジタル機器（例えば、携帯電話，スマートフォン（高機能携帯電話），タブレット端末，モバイルコンピューター等の小型で携帯可能な情報機器端末），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、遠赤外線用の撮像光学装置を用いることにより赤外線カメラシステムを構成することができるだけでなく、その撮像光学装置を各種機器に搭載することにより赤外線カメラ機能，暗視機能，温度測定機能等を付加することが可能である。例えば、赤外線カメラ付きスマートフォン等の遠赤外線画像入力機能を備えたデジタル機器を構成することが可能である。
【００５２】
遠赤外線画像入力機能付きデジタル機器の一例として、図２７にデジタル機器ＤＵの概略構成例を模式的断面で示す。図２７に示すデジタル機器ＤＵに搭載されている撮像光学装置ＬＵは、物体（すなわち被写体）側から順に、物体の遠赤外線光学像（像面）ＩＭを形成する遠赤外線レンズＬＮ（ＡＸ：光軸）と、平行平板ＰＴ（撮像素子ＳＲのカバーガラス、必要に応じて配置される光学フィルター等に相当する。）と、遠赤外線レンズＬＮにより受光面（撮像面）ＳＳ上に形成された光学像ＩＭを電気的な信号に変換する撮像素子（遠赤外線センサー）ＳＲと、を備えている。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００５３】
遠赤外線レンズＬＮは、物体側から順に、第１レンズ及び第２レンズの２枚の単レンズで構成された２枚構成の単焦点レンズであり、前述したように、撮像素子ＳＲの受光面ＳＳ上に遠赤外線からなる光学像ＩＭを形成する構成になっている。撮像素子ＳＲとしては、例えば複数の画素（例えば、数千〜数十万画素）を有し、８〜１２μｍ程度の波長を利用する遠赤外線用のイメージセンサー（サーモセンサー等）が用いられる。遠赤外線レンズＬＮは、撮像素子ＳＲの光電変換部である受光面ＳＳ上に被写体の光学像ＩＭが形成されるように設けられているので、遠赤外線レンズＬＮによって形成された光学像ＩＭは、撮像素子ＳＲによって電気的な信号に変換される。
【００５４】
撮像素子ＳＲの具体例としては、焦電センサー，マイクロボロメータ，サーモパイル等が挙げられる。焦電センサーは、チタン酸ジルコン酸鉛等を含むセラミックが温度の変化によって自発分極する焦電効果を使ったものであり、ほとんどの場合単一の受光面を持ち、安価な温度センサーである。マイクロボロメータは、アモルファスシリコンや酸化バナジウム等の感熱材料を微細加工技術によって２次元配列した受光面を持ち、温度上昇によって抵抗値が変化することを検知する温度センサーである。現在使用されている一般的なマイクロボロメータは画素数が８０×８０，３２０×２４０，６４０×４８０等である。従来は温度分解能を十分発揮させるため、センサーの周囲を液体窒素等で冷却するものがほとんどであったが、近年では製造技術が進み、冷却しなくてもある程度温度検知能力の高いものが製造されてきている。サーモパイルは、熱を電気エネルギーに変換することのできる熱電対を直列又は並列に並べてセンサー面とした温度センサーで、焦電センサーに次いで安価なものである。
【００５５】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシングのためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００５６】
図１，図３，…，図２５に、無限遠合焦状態にある遠赤外線レンズＬＮの第１〜第１３の実施の形態を光学断面でそれぞれ示す。第１〜第１３の実施の形態の遠赤外線レンズＬＮは、物体側より順に、正パワーを有する第１レンズＬ１と、正パワーを有する第２レンズＬ２と、からなっている。
【００５７】
第１，第２，第９〜第１２の実施の形態では、第１レンズＬ１と第２レンズＬ２が近軸で像側に凸のメニスカス形状を有している。第３，第１３の実施の形態では、第１レンズＬ１が近軸で像側に凹のメニスカス形状を有しており、第２レンズＬ２が近軸で両凸形状を有している。第４〜第８の実施の形態では、第１レンズＬ１が近軸で像側に凸のメニスカス形状を有しており、第２レンズＬ２が近軸で両凸形状を有している。
【００５８】
第１〜第１３の実施の形態では、第１レンズＬ１と第２レンズＬ２が両面非球面レンズである。第１，第２，第４〜第１２の実施の形態では、最も物体側に開口絞りＳＴが配置されており、第３，第１３の実施の形態では、第１レンズＬ１と第２レンズＬ２との間に開口絞りＳＴが配置されている。なお、各遠赤外線レンズＬＮの像側には、撮像素子ＳＲの保護用カバーガラスに相当する平行平板ＰＴ（例えば、Ｇｅ結晶の平行平板）が配置されている。
【実施例】
【００５９】
以下、本発明を実施した遠赤外線レンズの構成等を、実施例のコンストラクションデータ等を挙げて更に具体的に説明する。ここで挙げる実施例１〜１３（ＥＸ１〜１３）は、前述した第１〜第１３の実施の形態にそれぞれ対応する数値実施例であり、第１〜第１３の実施の形態を表すレンズ構成図（図１，図３，…，図２５）は、対応する実施例１〜１３のレンズ断面形状，レンズ配置等をそれぞれ示している。【００６０】
各実施例のコンストラクションデータでは、面データとして、左側の欄から順に、面番号（ＯＢ：物面，ＳＴ：絞り面，ＩＭ：像面），近軸における曲率半径Ｒ（ｍｍ），軸上面間隔ｄ（ｍｍ），設計波長１０μｍに対する屈折率Ｎ１０，及び波長８〜１２μｍに対する分散値νを示す。分散値νは分散の性質を表し、ν＝（Ｎ１０−１）／（Ｎ８−Ｎ１２）で定義される（ただし、Ｎ８：波長８μｍに対する屈折率，波長１０μｍに対する屈折率Ｎ１０，Ｎ１２：波長１２μｍに対する屈折率である。）。屈折率が４．００４００の光学材料はゲルマニウム（ＧＥ）、屈折率が２．７７８１０の光学材料はカルコゲナイドガラスである。なお、像面ＩＭの前の平行平板ＰＴは遠赤外線センサーＳＲの保護板（カバーガラス）である。【００６１】
面番号に＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（Ｃ・ｈ2）／［１＋√｛１−（１＋Ｋ）・Ｃ2・ｈ2｝］＋Σ（Ａｉ・ｈi）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
Ｃ：面頂点での曲率（近軸曲率半径Ｒの逆数）、
Ｋ：円錐定数、
Ａｉ：ｉ次の非球面係数（Σはｉについて４次から∞次の総和を表す。）、
である。【００６２】
面番号に＃が付された面は回折格子面であり、その回折構造は、非球面と同様に面頂点を原点とするローカルな直交座標系（ｘ，ｙ，ｚ）を用いた以下の式（ＤＳ）で定義される。回折格子は光軸に対して回転対称な格子であって、波長１０μｍに対する１次の回折が使用され、形状は波長１０μｍに対する位相差Ｐｚで与えられる。回折面データとして、位相係数を示す。なお、各実施例の回折面データにおいて表記の無い項の係数は０であり、すべてのデータに関してＥ−ｎ＝×１０-nである。
Ｐｚ＝Σ（Ｂｊ・ｈj）  …（ＤＳ）
ただし、
ｈ：ｚ軸（光軸ＡＸ）に対して垂直な方向の高さ（ｈ2＝ｘ2＋ｙ2）、
Ｐｚ：位相差、
Ｂｊ：ｊ次の位相係数（Σはｊについて２次から∞次の総和を表す。）、
である。【００６３】
表１に、各種データとして、全系の焦点距離ｆ（ｍｍ），Ｆナンバー（Ｆｎｏ），半画角ω（°），像高Ｙ’（実像高，ｍｍ），レンズ全長ＴＬ（ｍｍ），バックフォーカスｆＢ（ｍｍ），第１レンズＬ１の焦点距離ｆ１（ｍｍ），第２レンズＬ２の焦点距離ｆ２（ｍｍ）を示し、表２に各実施例の条件式対応値を示す（設計波長：１００００ｎｍ）。表１中のバックフォーカスＢＦは、レンズ最終面から近軸像面までの距離を空気換算長により表記しており、レンズ全長ＴＬは、レンズ最前面からレンズ最終面までの距離にバックフォーカスＢＦを加えたものであるが、第１面が絞りＳＴである場合（ＥＸ１，２，４〜１２）、レンズ全長ＴＬは絞りＳＴから近軸像点ＩＭまでの距離である。【００６４】
図２，図４，…，図２６は、実施例１〜１３（ＥＸ１〜１３）にそれぞれ対応する収差図であり、（Ａ）は球面収差図、（Ｂ）は非点収差図、（Ｃ）は歪曲収差図である。球面収差図は、実線で示す設計波長（評価波長）１０μｍにおける球面収差量、長い破線で示す波長８μｍにおける球面収差量、短い破線で示す波長１２μｍにおける球面収差量を、それぞれ近軸像面からの光軸ＡＸ方向のズレ量（ｍｍ）で表しており、縦軸はＦナンバー、縦軸目盛は瞳への入射高さをその最大高さで規格化した値（すなわち相対瞳高さ）を表している。非点収差図において、一点鎖線Ｍ又は破線Ｔは設計波長１０μｍにおけるメリディオナル（タンジェンシャル）像面、実線Ｓは設計波長１０μｍにおけるサジタル像面を、近軸像面からの光軸ＡＸ方向のズレ量（ｍｍ）で表しており、縦軸は半画角ω（°）を表している。歪曲収差図において、横軸は設計波長１０μｍにおける歪曲（％）を表しており、縦軸は半画角ω（°）を表している。【００６５】
実施例１
単位：mm
面データ
面番号             R(mm)    d(mm)       N10         ν
物体                           ∞
1(絞り)               ∞     0.75
2        *        -6.338     2.43     4.00400     1252
3        *        -5.752     1.82
4        *      -196.123     2.80     4.00400     1252
5        *       -27.043     2.30
6                     ∞     0.50     4.00400     1252
7                     ∞     0.50
近軸像点【００６６】
非球面データ
第2面         第3面         第4面         第5面
K               7.621        -3.868       -15.000       -15.000
A4        -2.7194E-03   -3.5463E-03    3.6807E-03    4.3449E-03
A6         3.6128E-05    1.1045E-05   -1.0679E-05   -7.6449E-05
A8         2.9521E-05    2.9216E-06   -2.9459E-06    3.8592E-05
A10       -3.8271E-06   -7.1261E-07    1.0359E-07   -8.1171E-08【００６７】
実施例２
単位：mm
面データ
面番号             R(mm)    d(mm)       N10         ν
物体                           ∞
1(絞り)               ∞     0.81
2        *        -6.045     2.74     2.77810      160
3        *        -4.887     1.94
4        *       -29.093     3.22     2.77810      160
5        *       -12.221     2.84
6                     ∞     0.50     4.00400     1252
7                     ∞     0.49
近軸像点【００６８】
非球面データ
第2面         第3面         第4面         第5面
K               5.363        -4.100        -0.852         7.657
A4        -9.7358E-04   -3.6558E-03    3.2384E-03    2.8128E-03
A6        -5.5200E-04    2.4842E-05   -5.0326E-06    1.1594E-05
A8         2.5492E-04    1.4386E-05   -1.8198E-06    8.0515E-06
A10       -1.3497E-05   -1.0203E-06    4.4725E-08   -6.7964E-09【００６９】
実施例３
単位：mm
面データ
面番号             R(mm)    d(mm)       N10         ν
物体                           ∞
1        *         3.591     1.01     2.77810      160
2        *         3.335     1.04
3(絞り)               ∞     0.78
4        *         8.676     3.27     2.77810      160
5        *       -65.586     1.02
6                     ∞     0.50     4.00400     1252
7                     ∞     1.02
近軸像点【００７０】
非球面データ
第1面         第2面         第4面         第5面
K              -0.392         1.073         3.590        30.000
A3        -2.4094E-04    1.0642E-03    1.8151E-04   -1.0760E-03
A4         1.1585E-03   -3.0028E-03    6.0091E-04    4.2629E-03
A5         6.9918E-05    4.6961E-05   -1.6119E-05   -2.3812E-05
A6        -7.0756E-05   -3.9360E-06   -2.2481E-04   -4.8154E-04
A8         2.8321E-05   -2.5775E-04    2.7422E-05    6.9480E-05
A10       -1.4924E-05   -6.6923E-05   -1.9462E-06   -4.7962E-06【００７１】
実施例４
単位：mm
面データ
面番号       R(mm)          d(mm)       N10     ν
OB              ∞             ∞
1(ST)           ∞       0.802176
2*        -6.27915       2.587169     4.004   1250
3*        -5.80433       1.831465
4*        90.73463       2.779481     4.004   1250
5*       -57.55095       2.272522
6               ∞       0.500000     4.004   1250
7               ∞       0.486000
IM              ∞       0.000000【００７２】
非球面データ
非球面:2*
K  =  7.620968
A4 = -0.232586E-02
A6 = -0.138789E-03
A8 =  0.123318E-03
A10= -0.807669E-05【００７３】
非球面データ
非球面:3*
K  = -4.105717
A4 = -0.341885E-02
A6 =  0.203194E-04
A8 =  0.360199E-05
A10= -0.661989E-06【００７４】
非球面データ
非球面:4*
K  =-15.000000
A4 =  0.364839E-02
A6 = -0.804332E-05
A8 = -0.282540E-05
A10=  0.104786E-06【００７５】
非球面データ
非球面:5*
K  =-15.000000
A4 =  0.445355E-02
A6 =  0.514582E-04
A8 =  0.335483E-04
A10=  0.966802E-06【００７６】
実施例５
単位：mm
面データ
面番号       R(mm)          d(mm)       N10     ν
OB              ∞             ∞
1(ST)           ∞       0.810319
2*        -7.27664       3.452702     4.004   1250
3*        -6.67025       2.600671
4*        99.81599       2.344192     4.004   1250
5*       -46.41594       2.013546
6               ∞       0.500000     4.004   1250
7               ∞       0.486000
IM              ∞       0.000000【００７７】
非球面データ
非球面:2*
K  =  9.490200
A4 = -0.141396E-02
A6 = -0.111242E-03
A8 =  0.890495E-04
A10= -0.676957E-05【００７８】
非球面データ
非球面:3*
K  = -4.035285
A4 = -0.221072E-02
A6 =  0.169514E-04
A8 =  0.271526E-06
A10= -0.134928E-06【００７９】
非球面データ
非球面:4*
K  =-15.000000
A4 =  0.281935E-02
A6 =  0.685182E-04
A8 = -0.503968E-05
A10=  0.143664E-06【００８０】
非球面データ
非球面:5*
K  = 15.000000
A4 =  0.336277E-02
A6 =  0.261324E-03
A8 = -0.144972E-04
A10=  0.376420E-05【００８１】
実施例６
単位：mm
面データ
面番号       R(mm)          d(mm)       N10     ν
OB              ∞             ∞
1(ST)           ∞       0.816782
2*        -7.33382       3.441187     4.004   1250
3*        -6.68192       2.620908
4*       121.52350       2.344225     4.004   1250
5*       -42.01188       1.990185
6               ∞       0.500000     4.004   1250
7               ∞       0.486000
IM              ∞       0.000000【００８２】
非球面データ
非球面:2*
K  =  9.611185
A4 = -0.149260E-02
A6 = -0.127211E-03
A8 =  0.870872E-04
A10= -0.701794E-05【００８３】
非球面データ
非球面:3*
K  = -3.727033
A4 = -0.211299E-02
A6 =  0.839648E-05
A8 =  0.648433E-06
A10= -0.142336E-06【００８４】
非球面データ
非球面:4*
K  =-15.000000
A4 =  0.266175E-02
A6 =  0.802542E-04
A8 = -0.550920E-05
A10=  0.148235E-06【００８５】
非球面データ
非球面:5*
K  = 15.000000
A4 =  0.319550E-02
A6 =  0.254845E-03
A8 = -0.138955E-04
A10=  0.352979E-05【００８６】
実施例７
単位：mm
面データ
面番号       R(mm)          d(mm)       N10     ν
OB              ∞             ∞
1(ST)           ∞       0.864920
2*        -7.03526       2.975668     4.004   1250
3*        -6.27469       1.945048
4*       173.51899       2.650012     4.004   1250
5*       -46.35185       2.243907
6               ∞       0.500000     4.004   1250
7               ∞       0.486000
IM              ∞       0.000000【００８７】
非球面データ
非球面:2*
K  =  8.897131
A4 = -0.207533E-02
A6 = -0.289646E-03
A8 =  0.143117E-03
A10= -0.135917E-04【００８８】
非球面データ
非球面:3*
K  = -4.359018
A4 = -0.283678E-02
A6 =  0.282421E-04
A8 =  0.110501E-05
A10= -0.292151E-06【００８９】
非球面データ
非球面:4*
K  =-15.000000
A4 =  0.358746E-02
A6 =  0.520212E-05
A8 = -0.298734E-05
A10=  0.108580E-06【００９０】
非球面データ
非球面:5*
K  = 14.690149
A4 =  0.402099E-02
A6 =  0.235244E-03
A8 = -0.784096E-05
A10=  0.409915E-05【００９１】
実施例８
単位：mm
面データ
面番号       R(mm)          d(mm)       N10     ν
OB              ∞             ∞
1(ST)           ∞       0.861697
2*        -7.31877       3.125049     4.004   1250
3*        -6.42076       1.971548
4*       390.00777       2.576393     4.004   1250
5*       -41.75446       2.236701
6               ∞       0.500000     4.004   1250
7               ∞       0.486000
IM              ∞       0.000000【００９２】
非球面データ
非球面:2*
K  =  9.690032
A4 = -0.206297E-02
A6 = -0.234755E-03
A8 =  0.116301E-03
A10= -0.938163E-05【００９３】
非球面データ
非球面:3*
K  = -4.433234
A4 = -0.268792E-02
A6 =  0.300845E-04
A8 =  0.548332E-06
A10= -0.225286E-06【００９４】
非球面データ
非球面:4*
K  = 15.000000
A4 =  0.363317E-02
A6 =  0.926419E-05
A8 = -0.322586E-05
A10=  0.115247E-06【００９５】
非球面データ
非球面:5*
K  =-14.377065
A4 =  0.399215E-02
A6 =  0.236360E-03
A8 = -0.817727E-05
A10=  0.405203E-05【００９６】
実施例９
単位：mm
面データ
面番号       R(mm)          d(mm)       N10     ν
OB              ∞             ∞
1(ST)           ∞       0.845567
2*        -7.64106       3.351431     4.004   1250
3*        -6.60849       2.053915
4*      -887.07541       2.433648     4.004   1250
5*       -37.24419       2.220860
6               ∞       0.500000     4.004   1250
7               ∞       0.486000
IM              ∞       0.000000【００９７】
非球面データ
非球面:2*
K  = 10.741471
A4 = -0.192691E-02
A6 = -0.154892E-03
A8 =  0.884281E-04
A10= -0.433345E-05【００９８】
非球面データ
非球面:3*
K  = -4.550159
A4 = -0.249158E-02
A6 =  0.326732E-04
A8 = -0.269045E-07
A10= -0.159032E-06【００９９】
非球面データ
非球面:4*
K  =-15.000000
A4 =  0.374483E-02
A6 =  0.154127E-04
A8 = -0.359526E-05
A10=  0.128983E-06【０１００】
非球面データ
非球面:5*
K  = -6.221728
A4 =  0.407323E-02
A6 =  0.244691E-03
A8 = -0.929228E-05
A10=  0.411471E-05【０１０１】
実施例１０
単位：mm
面データ
面番号       R(mm)          d(mm)       N10     ν
OB              ∞             ∞
1(ST)           ∞       0.819818
2*        -5.91316       2.768638     2.7781  160.2
3*        -4.52183       1.371573
4*       -34.73754       4.000000     2.7781  160.2
5*       -18.19129       2.696316
6               ∞       0.500000     4.004   1250
7               ∞       0.486000
IM              ∞       0.000000【０１０２】
非球面データ
非球面:2*
K  =  1.768390
A4 = -0.455419E-02
A6 = -0.961230E-03
A8 =  0.277633E-03
A10= -0.325522E-04【０１０３】
非球面データ
非球面:3*
K  = -2.612672
A4 = -0.260108E-02
A6 = -0.396228E-04
A8 =  0.959824E-05
A10= -0.614360E-06【０１０４】
非球面データ
非球面:4*
K  =  6.570084
A4 =  0.389940E-02
A6 = -0.730020E-04
A8 =  0.391424E-06
A10=  0.157896E-07【０１０５】
非球面データ
非球面:5*
K  =  3.514999
A4 =  0.245290E-02
A6 = -0.573722E-05
A8 =  0.954888E-05
A10= -0.151311E-06【０１０６】
実施例１１
単位：mm
面データ
面番号       R(mm)          d(mm)       N10     ν
OB              ∞             ∞
1(ST)           ∞       0.824233
2*        -5.82038       2.748465     2.7781  160.2
3*        -4.52696       1.423082
4*       -39.21930       4.000000     2.7781  160.2
5*       -18.48482       2.676865
6               ∞       0.500000     4.004   1250
7               ∞       0.486000
IM              ∞       0.000000【０１０７】
非球面データ
非球面:2*
K  =  1.545042
A4 = -0.448727E-02
A6 = -0.100024E-02
A8 =  0.285638E-03
A10= -0.335281E-04【０１０８】
非球面データ
非球面:3*
K  = -2.533029
A4 = -0.252923E-02
A6 = -0.488205E-04
A8 =  0.102503E-04
A10= -0.639718E-06【０１０９】
非球面データ
非球面:4*
K  = 14.765852
A4 =  0.379131E-02
A6 = -0.676970E-04
A8 =  0.299986E-06
A10=  0.162865E-07【０１１０】
非球面データ
非球面:5*
K  =  3.960430
A4 =  0.245208E-02
A6 = -0.495538E-05
A8 =  0.944887E-05
A10= -0.132525E-06【０１１１】
実施例１２
単位：mm
面データ
面番号       R(mm)          d(mm)       N10     ν
OB              ∞             ∞
1(ST)           ∞       0.853611
2*        -5.38831       2.594890     2.7781  160.2
3*        -4.52618       1.836368
4*       -69.46815       4.000000     2.7781  160.2
5*       -17.34124       2.520451
6               ∞       0.500000     4.004   1250
7               ∞       0.486000
IM              ∞       0.000000【０１１２】
非球面データ
非球面:2*
K  =  2.176583
A4 = -0.323974E-02
A6 = -0.101787E-02
A8 =  0.273320E-03
A10= -0.298276E-04【０１１３】
非球面データ
非球面:3*
K  = -2.896526
A4 = -0.344650E-02
A6 = -0.197773E-04
A8 =  0.866588E-05
A10= -0.633557E-06【０１１４】
非球面データ
非球面:4*
K  = -9.499184
A4 =  0.289565E-02
A6 = -0.232867E-04
A8 = -0.843775E-06
A10=  0.279536E-07【０１１５】
非球面データ
非球面:5*
K  =  6.108008
A4 =  0.230698E-02
A6 = -0.799862E-05
A8 =  0.854639E-05
A10= -0.974203E-07【０１１６】
実施例１３
単位：mm
面データ
面番号       R(mm)          d(mm)       N10     ν
OB              ∞             ∞
1*         3.57283       1.051131     2.7781  160.2
2*         3.31299       1.007687
3(ST)           ∞       1.149565
4*         8.24988       3.710412     2.7781  160.2
5*       -76.52927       0.668753
6               ∞       0.500000     4.004   1250
7               ∞       1.042203
IM              ∞       0.000000【０１１７】
非球面データ
非球面:1*
K  = -3.6694E-01
A3 =  1.4780E-03
A4 =  1.0131E-03
A5 =  3.2472E-04
A6 =  7.7471E-05
A8 =  5.2150E-05
A10= -6.5105E-06【０１１８】
非球面データ
非球面:2*
K  =  1.1377E+00
A3 =  1.6247E-04
A4 = -1.5162E-03
A5 =  6.2043E-04
A6 =  3.6710E-04
A8 = -1.0639E-04
A10= -4.1788E-05
非球面:4*
K  =  4.4727E+00
A3 = -1.2208E-03
A4 =  9.2382E-04
A5 =  3.0930E-05
A6 = -2.4440E-04
A8 =  2.1154E-05
A10= -1.6421E-06【０１１９】
非球面データ
非球面:5*
K  =  1.5000E+01
A3 =  9.7846E-03
A4 = -3.0877E-04
A5 =  2.3391E-04
A6 = -2.0535E-04
A8 =  8.1670E-05
A10= -6.2377E-06【０１２０】
【表１】
2016027784.tif 000003
【０１２１】
【表２】
2016027784.tif 000004
【符号の説明】
【０１２２】
ＤＵ    デジタル機器
ＬＵ    撮像光学装置
ＬＮ    遠赤外線レンズ
Ｌ１    第１レンズ
Ｌ２    第２レンズ
ＳＴ    開口絞り（絞り）
ＳＲ    撮像素子（遠赤外線センサー）
ＳＳ    受光面（撮像面）
ＩＭ    像面（光学像）
ＡＸ    光軸
１    信号処理部
２    制御部
３    メモリー
４    操作部
５    表示部
【図１】
2016027784.tif 000005
【図２】
2016027784.tif 000006
【図３】
2016027784.tif 000007
【図４】
2016027784.tif 000008
【図５】
2016027784.tif 000009
【図６】
2016027784.tif 000010
【図７】
2016027784.tif 000011
【図８】
2016027784.tif 000012
【図９】
2016027784.tif 000013
【図１０】
2016027784.tif 000014
【図１１】
2016027784.tif 000015
【図１２】
2016027784.tif 000016
【図１３】
2016027784.tif 000017
【図１４】
2016027784.tif 000018
【図１５】
2016027784.tif 000019
【図１６】
2016027784.tif 000020
【図１７】
2016027784.tif 000021
【図１８】
2016027784.tif 000022
【図１９】
2016027784.tif 000023
【図２０】
2016027784.tif 000024
【図２１】
2016027784.tif 000025
【図２２】
2016027784.tif 000026
【図２３】
2016027784.tif 000027
【図２４】
2016027784.tif 000028
【図２５】
2016027784.tif 000029
【図２６】
2016027784.tif 000030
【図２７】
2016027784.tif 000031
【国際調査報告】
2016027784.tif 000032
2016027784.tif 000033
2016027784.tif 000034
2016027784.tif 000035